(57)【要約】【課題】  商品の販売計画や自動販売機の設置計画に活用でき、利用者ごとにサービスを提供する。【解決手段】  複数の場所に設置された自動販売機１０は、読取部１１と制御部１２と送信部１３とを備え、読取部１１は購入者の所有するＩＣチップＡからＩＣチップ情報を読取り、制御部１２は自動販売機１０の所定の情報のデータを作成し、送信部１３は作成されたデータをネットワークＮ１を介して送信する。ホストコンピュータ２０は、受信部２１と制御部２２と記憶部２３と表示部２４とを備え、受信部２１は各自動販売機１０から販売データを受信し、制御部２２は受信した複数の販売データを記憶部２３に記憶し、記憶した複数の販売データに基づいて所定のデータを作成する。【選択図】図２
2006139563.tif 000002
【特許請求の範囲】
【請求項１】
複数の自動販売機のそれぞれにおける所定の情報を管理手段によって管理する自動販売機情報管理システムにおいて、
前記各自動販売機は、
商品を販売するとき又は販売する前に、ＩＣチップごとに一意となるＩＣチップ識別データを含むＩＣチップ情報を購入者の所有するＩＣチップから読取る手段と、
商品を販売したときに該商品に関する所定の情報と前記ＩＣチップ情報と該自動販売機を識別する情報とを含む販売データを作成する手段と、
前記販売データを引渡すデータ引渡手段とを備え、
前記管理手段は、
前記各自動販売機から前記販売データを受取るデータ受取手段と、
前記データ受取手段によって受取る複数の前記販売データを記憶する記憶手段と、
前記記憶手段が記憶する複数の前記販売データに基づいて所定のデータを作成するデータ作成手段とを備える
ことを特徴とする自動販売機情報管理システム。
【請求項２】
前記管理手段は１つ又は複数のコンピュータからなる
ことを特徴とする請求項１に記載の自動販売機情報管理システム。
【請求項３】
前記管理手段は、
前記データ作成手段が作成した所定のデータに基づいて表示を行う表示手段を備える
ことを特徴とする請求項１又は２に記載の自動販売機情報管理システム。
【請求項４】
前記管理手段は、
前記データ作成手段が作成した所定のデータを前記記憶手段へ書き込む手段を備える
ことを特徴とする請求項１乃至３に記載の自動販売機情報管理システム。
【請求項５】
前記データ引渡手段及び前記データ受取手段は、ネットワークを介してデータ送受信を行う
ことを特徴とする請求項１乃至４に記載の自動販売機情報管理システム。
【請求項６】
前記データ作成手段は、
前記記憶手段が記憶する複数の前記販売データに基づいて、前記自動販売機ごとに所定期間における販売実績情報を示す自販機販売データを作成する手段を有する
ことを特徴とする請求項１乃至５に記載の自動販売機情報管理システム。
【請求項７】
前記自販機販売データは、自動販売機を利用した購入者が所有するＩＣチップ数、販売商品数、販売回数、販売商品種類、販売金額、のうち少なくとも何れか１つの情報を含む
ことを特徴とする請求項６に記載の自動販売機情報管理システム。
【請求項８】
前記データ作成手段は、
前記記憶手段が記憶する複数の前記販売データに基づいて、前記ＩＣチップごとに所定期間における購入実績情報を示すＩＣチップ購入データを作成する手段を有する
ことを特徴とする請求項１乃至７に記載の自動販売機情報管理システム。
【請求項９】
前記ＩＣチップ購入データは、ＩＣチップを所有する購入者が利用した自動販売機数、購入商品数、購入回数、購入商品種類、購入金額、自動販売機識別情報、のうち少なくとも何れか１つの情報を含む
ことを特徴とする請求項８に記載の自動販売機情報管理システム。
【請求項１０】
前記記憶手段は前記各自動販売機の設置場所に関する情報を記憶しており、
前記データ作成手段は、
前記記憶手段が記憶する複数のデータに基づいて、前記ＩＣチップごとに所定期間における購入範囲実績情報を示すＩＣチップ購入範囲データを作成する手段を有する
ことを特徴とする請求項１乃至９に記載の自動販売機情報管理システム。
【請求項１１】
前記記憶手段は購入金額ごとのサービスに関する情報を記憶しており、
前記データ作成手段は、
前記記憶手段が記憶する複数のデータに基づいて、前記ＩＣチップごとに所定期間における購入実績金額に応じたサービス情報を示すＩＣチップサービスデータを作成する手段を有し、
前記管理手段は前記ＩＣチップサービスデータを前記各自動販売機に引渡す第２引渡手段を備え、
前記各自動販売機は、
前記ＩＣチップサービスデータを受取る第２受取手段と、
販売可能な商品の情報を含む所定の情報を表示する要素となる複数のデータを記憶する第２記憶手段と、
商品を販売するときに、前記ＩＣチップ識別データと前記ＩＣチップサービスデータと前記第２記憶手段が記憶する複数のデータに基づいて表示を行う手段とを備える
ことを特徴とする請求項１乃至１０に記載の自動販売機情報管理システム。
【請求項１２】
前記第２データ引渡手段及び前記第２データ受取手段は、ネットワークを介してデータ送受信を行う
ことを特徴とする請求項１１に記載の自動販売機情報管理システム。
【請求項１３】
前記表示手段は所定の条件を入力する手段とデータ受渡し可能なデータ受渡手段とを備える１つ又は複数の端末からなり、
前記管理手段は前記端末との間でデータ受渡し可能な第２データ受渡手段を備え、
前記データ作成手段は、
前記端末によって入力された所定の条件と前記記憶手段が記憶する複数の前記販売データとに基づいてデータを作成する手段を有する
ことを特徴とする請求項３乃至１２に記載の自動販売機情報管理システム。
【請求項１４】
前記データ受渡手段及び前記第２データ受渡手段は、第２ネットワークを介してデータ送受信を行う
ことを特徴とする請求項１３に記載の自動販売機情報管理システム。
【請求項１５】
前記データ引渡手段及び前記データ受取手段はネットワークを介してデータ送受信を行っており、
前記第２ネットワークは前記ネットワークと同じである
ことを特徴とする請求項１４に記載の自動販売機情報管理システム。
【請求項１６】
前記各自動販売機は、
販売金額、故障、売り切れ、のうち少なくとも何れか１つの情報を含む警告データを作成する手段を備え、
前記データ引渡手段は作成した前記警告データを引渡す手段を有し、
前記データ受取手段は、
前記各自動販売機から前記警告データを受取る手段を有し、
前記記憶手段は、
前記データ受取手段によって受取る前記警告データを記憶する手段を有する
ことを特徴とする請求項１乃至１５に記載の自動販売機情報管理システム。
【請求項１７】
前記各自動販売機は、
作成した前記販売データを記憶する手段を備え、
前記データ引渡手段は、
記憶する複数の前記販売データを所定間隔ごとに引渡す手段を有する
ことを特徴とする請求項１乃至１６に記載の自動販売機情報管理システム。
【請求項１８】
所定の情報が外部のコンピュータによって管理される自動販売機において、
商品を販売するとき又は販売する前に、ＩＣチップごとに一意となるＩＣチップ識別データを含むＩＣチップ情報を購入者の所有するＩＣチップから読取る手段と、
商品を販売したときに該商品に関する所定の情報と前記ＩＣチップ情報と該自動販売機を識別する情報とを含む販売データを作成する手段と、
前記販売データを前記コンピュータに引渡すデータ引渡手段とを備える
ことを特徴とする自動販売機。
【請求項１９】
前記コンピュータから前記ＩＣチップごとに所定期間における購入実績金額に応じたサービス情報を示すＩＣチップサービスデータを受取る手段と、
販売可能な商品の情報を含む所定の情報を表示する要素となる複数のデータを記憶する手段と、
商品を販売するときに、前記ＩＣチップ識別データと前記ＩＣチップサービスデータと記憶する複数のデータに基づいて表示を行う手段とを備える
ことを特徴とする請求項１８に記載の自動販売機。
【請求項２０】
販売金額、故障、売り切れ、のうち少なくとも何れか１つの情報を含む警告データを作成する手段を備え、
前記データ引渡手段は作成した前記警告データを前記コンピュータに引渡す手段を有する
ことを特徴とする請求項１８又は１９に記載の自動販売機。
【請求項２１】
作成した前記販売データを記憶する手段を備え、
前記データ引渡手段は、
記憶する複数の前記販売データを所定間隔ごとに引渡す手段とを有する
ことを特徴とする請求項１８乃至２０に記載の自動販売機。
【発明の詳細な説明】
【技術分野】
【０００１】
本発明は、複数の自動販売機のそれぞれにおける所定の情報を管理する自動販売機情報管理システム及びその自動販売機に関するものである。
【背景技術】
【０００２】
従来、この種のシステムとして、直接又はネットワークを利用して複数の自動販売機からホストコンピュータに各種データを送信し、ホストコンピュータにおいて前記データに基づき管理を行うようにしたものが知られている（例えば特許文献１参照。）。
【特許文献１】特開２０００−２８５２９１号公報
【発明の開示】
【発明が解決しようとする課題】
【０００３】
しかしながら、従来のシステムでは、自動販売機のデータから利用者を識別できないため、自動販売機ごとの利用人数や利用者の嗜好が把握できず商品の販売計画や自動販売機の設置計画に活用できない、利用者ごとにサービスを提供できない等の問題点があった。
【０００４】
本発明は前記問題点に鑑みてなされたものであり、その目的とするところは、商品の販売計画や自動販売機の設置計画に活用でき、利用者ごとにサービスを提供できる自動販売機情報管理システム及びその自動販売機を提供することにある。
【課題を解決するための手段】
【０００５】
本発明は前記目的を達成するために、複数の自動販売機のそれぞれにおける所定の情報を管理手段によって管理する自動販売機情報管理システムにおいて、前記各自動販売機は、商品を販売するとき又は販売する前に、ＩＣチップごとに一意となるＩＣチップ識別データを含むＩＣチップ情報を購入者の所有するＩＣチップから読取る手段と、商品を販売したときに該商品に関する所定の情報と前記ＩＣチップ情報と該自動販売機を識別する情報とを含む販売データを作成する手段と、前記販売データを引渡すデータ引渡手段とを備え、前記管理手段は、前記各自動販売機から前記販売データを受取るデータ受取手段と、前記データ受取手段によって受取る複数の前記販売データを記憶する記憶手段と、前記記憶手段が記憶する複数の前記販売データに基づいて所定のデータを作成するデータ作成手段とを備える自動販売機情報管理システムを提案する。
【０００６】
上記構成よりなる自動販売機情報管理システムによれば、複数の自動販売機によって、商品を販売するとき又は販売する前にＩＣチップごとに一意となるＩＣチップ識別データを含むＩＣチップ情報が購入者の所有するＩＣチップから読取られ、商品を販売したときに該商品に関する所定の情報と前記ＩＣチップ情報と該自動販売機を識別する情報とを含む販売データが作成され、引渡される。従って、商品販売ごとに自動販売機及びＩＣチップを識別することができる販売データが作成される。
【０００７】
さらに、前記各自動販売機から前記販売データが受取られ、受取られた複数の前記販売データが記憶され、記憶された複数の前記販売データに基づいて所定のデータが作成される。従って、複数の販売データに基づいて自動販売機ごとのデータや、ＩＣチップごとのデータを作成することができる。
【０００８】
また、本発明は、上記構成の自動販売機情報管理システムにおいて、前記管理手段は１つ又は複数のコンピュータからなる自動販売機情報管理システムを提案する。
【０００９】
上記構成よりなる自動販売機情報管理システムによれば、１つ又は複数のコンピュータによって、前記各自動販売機における所定の情報が管理される。
【００１０】
また、本発明は、上記構成の自動販売機情報管理システムにおいて、前記管理手段は、前記データ作成手段が作成した所定のデータに基づいて表示を行う表示手段を備える自動販売機情報管理システムを提案する。
【００１１】
上記構成よりなる自動販売機情報管理システムによれば、作成した所定のデータに基づいて表示が行われる。従って、前記販売データに基づいて作成した所定のデータを表示することができる。
【００１２】
また、本発明は、上記構成の自動販売機情報管理システムにおいて、前記管理手段は、前記データ作成手段が作成した所定のデータを前記記憶手段へ書き込む手段を備える自動販売機情報管理システムを提案する。
【００１３】
上記構成よりなる自動販売機情報管理システムによれば、作成した所定のデータが記憶される。従って、前記販売データに基づいて作成した所定のデータを記憶することができる。
【００１４】
また、本発明は、上記構成の自動販売機情報管理システムにおいて、前記データ引渡手段及び前記データ受取手段は、ネットワークを介してデータ送受信を行う自動販売機情報管理システムを提案する。
【００１５】
上記構成よりなる自動販売機情報管理システムによれば、ネットワークを介して販売データの送受信が行われる。従って、オンラインシステムを構成することができる。
【００１６】
また、本発明は、上記構成の自動販売機情報管理システムにおいて、前記データ作成手段は、前記記憶手段が記憶する複数の前記販売データに基づいて、前記自動販売機ごとに所定期間における販売実績情報を示す自販機販売データを作成する手段を有する自動販売機情報管理システムを提案する。
【００１７】
上記構成よりなる自動販売機情報管理システムによれば、記憶する複数の前記販売データに基づいて、前記自動販売機ごとに所定期間における販売実績情報を示す自販機販売データが作成される。従って、自動販売機ごとに所定期間における販売実績の情報を得ることがきる。
【００１８】
また、本発明は、上記構成の自動販売機情報管理システムにおいて、前記自販機販売データは、自動販売機を利用した購入者が所有するＩＣチップ数、販売商品数、販売回数、販売商品種類、販売金額、のうち少なくとも何れか１つの情報を含む自動販売機情報管理システムを提案する。
【００１９】
上記構成よりなる自動販売機情報管理システムによれば、前記自販機販売データには、自動販売機を利用した購入者が所有するＩＣチップ数、販売商品数、販売回数、販売商品種類、販売金額、のうち少なくとも何れか１つの情報が含まれる。従って、自動販売機ごとに所定期間における自動販売機を利用した購入者が所有するＩＣチップ数、販売商品数、販売回数、販売商品種類、販売金額、のうち少なくとも１つの情報を把握することができる。
【００２０】
また、本発明は、上記構成の自動販売機情報管理システムにおいて、前記データ作成手段は、前記記憶手段が記憶する複数の前記販売データに基づいて、前記ＩＣチップごとに所定期間における購入実績情報を示すＩＣチップ購入データを作成する手段を有する自動販売機情報管理システムを提案する。
【００２１】
上記構成よりなる自動販売機情報管理システムによれば、記憶する複数の前記販売データに基づいて、前記ＩＣチップごとに所定期間における購入実績情報を示すＩＣチップ購入データが作成される。従って、ＩＣチップごとに所定期間における購入実績の情報を得ることがきる。
【００２２】
また、本発明は、上記構成の自動販売機情報管理システムにおいて、前記ＩＣチップ購入データは、ＩＣチップを所有する購入者が利用した自動販売機数、購入商品数、購入回数、購入商品種類、購入金額、自動販売機識別情報、のうち少なくとも何れか１つの情報を含む自動販売機情報管理システムを提案する。
【００２３】
上記構成よりなる自動販売機情報管理システムによれば、前記ＩＣチップ購入データには、ＩＣチップを所有する購入者が利用した自動販売機数、購入商品数、購入回数、購入商品種類、購入金額、自動販売機識別情報、のうち少なくとも何れか１つの情報が含まれる。従って、ＩＣチップごとに所定期間におけるＩＣチップを所有する購入者が利用した自動販売機数、購入商品数、購入回数、購入商品種類、購入金額、自動販売機識別情報、のうち少なくとも１つの情報を把握することができる。
【００２４】
また、本発明は、上記構成の自動販売機情報管理システムにおいて、前記記憶手段は前記各自動販売機の設置場所に関する情報を記憶しており、前記データ作成手段は、前記記憶手段が記憶する複数のデータに基づいて、前記ＩＣチップごとに所定期間における購入範囲実績情報を示すＩＣチップ購入範囲データを作成する手段を有する自動販売機情報管理システムを提案する。
【００２５】
上記構成よりなる自動販売機情報管理システムによれば、前記各自動販売機の設置場所に関する情報が記憶されており、記憶する複数のデータに基づいて、前記ＩＣチップごとに所定期間における購入範囲実績情報を示すＩＣチップ購入範囲データが作成される。従って、ＩＣチップごとに所定期間における購入範囲実績の情報を得ることがきる。
【００２６】
また、本発明は、上記構成の自動販売機情報管理システムにおいて、前記記憶手段は購入金額ごとのサービスに関する情報を記憶しており、前記データ作成手段は、前記記憶手段が記憶する複数のデータに基づいて、前記ＩＣチップごとに所定期間における購入実績金額に応じたサービス情報を示すＩＣチップサービスデータを作成する手段を有し、前記管理手段は前記ＩＣチップサービスデータを前記各自動販売機に引渡す第２引渡手段を備え、前記各自動販売機は、前記ＩＣチップサービスデータを受取る第２受取手段と、販売可能な商品の情報を含む所定の情報を表示する要素となる複数のデータを記憶する第２記憶手段と、商品を販売するときに、前記ＩＣチップ識別データと前記ＩＣチップサービスデータと前記第２記憶手段が記憶する複数のデータに基づいて表示を行う手段とを備える自動販売機情報管理システムを提案する。
【００２７】
上記構成よりなる自動販売機情報管理システムによれば、購入金額ごとのサービスに関する情報が記憶されており、記憶する複数のデータに基づいて、前記ＩＣチップごとに所定期間における購入実績金額に応じたサービス情報を示すＩＣチップサービスデータが作成され、前記各自動販売機に引渡される。従って、ＩＣチップごとに所定期間における購入実績金額に応じたサービスの情報を設定することがきる。
【００２８】
さらに、前記各自動販売機によって、前記ＩＣチップサービスデータが受取られ、販売可能な商品の情報を含む所定の情報を表示する要素となる複数のデータが記憶され、商品を販売するときに、前記ＩＣチップ識別データと前記ＩＣチップサービスデータと記憶する複数のデータに基づいて表示が行われる。従って、ＩＣチップごとに所定期間における購入実績金額に応じて設定されたサービスに基づいた表示をすることができる。
【００２９】
また、本発明は、上記構成の自動販売機情報管理システムにおいて、前記第２データ引渡手段及び前記第２データ受取手段は、ネットワークを介してデータ送受信を行う自動販売機情報管理システムを提案する。
【００３０】
上記構成よりなる自動販売機情報管理システムによれば、ネットワークを介してＩＣチップサービスデータの送受信が行われる。従って、オンラインシステムを構成することができる。
【００３１】
また、本発明は、上記構成の自動販売機情報管理システムにおいて、前記表示手段は所定の条件を入力する手段とデータ受け渡し可能なデータ受渡手段とを備える１つ又は複数の端末からなり、前記管理手段は前記端末との間でデータ受渡し可能な第２データ受渡手段を備え、前記データ作成手段は、前記端末によって入力された所定の条件と前記記憶手段が記憶する複数の前記販売データとに基づいてデータを作成する手段を有する自動販売機情報管理システムを提案する。
【００３２】
上記構成よりなる自動販売機情報管理システムによれば、１つ又は複数の端末によって所定の条件が入力され、該端末によって入力された所定の条件と前記記憶手段が記憶する複数の前記販売データとに基づいてデータが作成され、前記端末に表示される。従って、複数の端末で任意の条件と販売データに基づいて自動販売機ごとのデータや、ＩＣチップごとのデータを作成することができる。
【００３３】
また、本発明は、上記構成の自動販売機情報管理システムにおいて、前記データ受渡手段及び前記第２データ受渡手段は、第２ネットワークを介してデータ送受信を行う自動販売機情報管理システムを提案する。
【００３４】
上記構成よりなる自動販売機情報管理システムによれば、第２ネットワークを介して入力する所定の情報と作成したデータの送受信が行われる。従って、前記ネットワークとは別のネットワークでクライアントサーバシステムを構成することができる。
【００３５】
また、本発明は、上記構成の自動販売機情報管理システムにおいて、前記データ引渡手段及び前記データ受取手段はネットワークを介してデータ送受信を行っており、前記第２ネットワークは前記ネットワークと同じである自動販売機情報管理システムを提案する。
【００３６】
上記構成よりなる自動販売機情報管理システムによれば、ネットワークを介して販売データの送受信が行われており、前記第２ネットワークは前記ネットワークと同じである。従って、前記ネットワークと同じネットワークでクライアントサーバシステムを構成することができる。
【００３７】
また、本発明は、上記構成の自動販売機情報管理システムにおいて、前記各自動販売機は、販売金額、故障、売り切れ、のうち少なくとも何れか１つの情報を含む警告データを作成する手段を備え、前記データ引渡手段は作成した前記警告データを引渡す手段を有し、前記データ受取手段は、前記各自動販売機から前記警告データを受取る手段を有し、前記記憶手段は、前記データ受取手段によって受取るデータを記憶する手段を有する自動販売機情報管理システムを提案する。
【００３８】
上記構成よりなる自動販売機情報管理システムによれば、前記各自動販売機によって、販売金額、故障、売り切れ、のうち少なくとも何れか１つの情報を含む警告データが作成され、引渡される。
【００３９】
さらに前記各自動販売機から前記警告データが受取られ、記憶される。従って、自動販売機ごとに販売金額、故障、売り切れ、のうち少なくとも１つの情報を把握することができる。
【００４０】
また、本発明は、上記構成の自動販売機情報管理システムにおいて、前記各自動販売機は、作成した前記販売データを記憶する手段を備え、前記データ引渡手段は、記憶する複数の前記販売データを所定間隔ごとに引渡す手段を有する自動販売機情報管理システムを提案する。
【００４１】
上記構成よりなる自動販売機情報管理システムによれば、前記各自動販売機によって、作成した前記販売データが記憶され、所記憶する複数の前記販売データが所定間隔ごとに引渡される。従って、作成した複数の販売データの引渡しをバッチ処理することができる。
【００４２】
また、本発明は前記目的を達成するために、所定の情報が外部のコンピュータによって管理される自動販売機において、商品を販売するとき又は販売する前に、ＩＣチップごとに一意となるＩＣチップ識別データを含むＩＣチップ情報を購入者の所有するＩＣチップから読取る手段と、商品を販売したときに該商品に関する所定の情報と前記ＩＣチップ情報と該自動販売機を識別する情報とを含む販売データを作成する手段と、前記販売データを前記コンピュータに引渡すデータ引渡手段とを備える自動販売機を提案する。
【００４３】
上記構成よりなる自動販売機によれば、商品を販売するとき又は販売する前に、ＩＣチップごとに一意となるＩＣチップ識別データを含むＩＣチップ情報が購入者の所有するＩＣチップから読取られ、商品を販売したときに該商品に関する所定の情報と前記ＩＣチップ情報と該自動販売機を識別する情報とを含む販売データが作成され、前記コンピュータに引渡される。従って、商品販売ごとに自動販売機及びＩＣチップを識別することができる販売データが作成され、外部のコンピュータによって販売データが管理される。
【００４４】
また、本発明は、上記構成の自動販売機において、前記コンピュータから前記ＩＣチップごとに所定期間における購入実績金額に応じたサービス情報を示すＩＣチップサービスデータを受取る手段と、販売可能な商品の情報を含む所定の情報を表示する要素となる複数のデータを記憶する手段と、商品を販売するときに、前記ＩＣチップ識別データと前記ＩＣチップサービスデータと記憶する複数のデータに基づいて表示を行う手段とを備える自動販売機を提案する。
【００４５】
上記構成よりなる自動販売機によれば、前記コンピュータから前記ＩＣチップごとに所定期間における購入実績金額に応じたサービス情報を示すＩＣチップサービスデータが受取られ、販売可能な商品の情報を含む所定の情報を表示する要素となる複数のデータが記憶され、商品を販売するときに、前記ＩＣチップ識別データと前記ＩＣチップサービスデータと記憶する複数のデータに基づいて表示が行われる。従って、ＩＣチップごとに所定期間における購入実績金額に応じて設定されたサービスに基づいた表示をすることができる。
【００４６】
また、本発明は、上記構成の自動販売機において、販売金額、故障、売り切れ、のうち少なくとも何れか１つの情報を含む警告データを作成する手段を備え、前記データ引渡手段は作成した前記警告データを前記コンピュータに引渡す手段を有する自動販売機を提案する。
【００４７】
上記構成よりなる自動販売機によれば、販売金額、故障、売り切れ、のうち少なくとも何れか１つの情報を含む警告データが作成され、前記コンピュータに引渡される。従って、自動販売機ごとに販売金額、故障、売り切れ、のうち少なくとも１つの情報を把握することができる。
【００４８】
また、本発明は、上記構成の自動販売機において、作成した前記販売データを記憶する手段を備え、前記データ引渡手段は、記憶する複数の前記販売データを所定間隔ごとに引渡す手段とを有する自動販売機を提案する。
【００４９】
上記構成よりなる自動販売機によれば、作成した前記販売データが記憶され、記憶する複数の前記販売データが所定間隔ごとに引渡される。従って、作成した複数の販売データの引渡しをバッチ処理することができる。
【発明の効果】
【００５０】
本発明の自動販売機情報管理システム及びその自動販売機によれば、各自動販売機において商品販売ごとに販売データが作成され、複数の販売データに基づいて自動販売機ごとのデータやＩＣチップごとのデータを作成することにより、自動販売機の販売実績とＩＣチップの購入実績からＩＣチップ所有者の嗜好を考慮して新商品の販売数を予測することができ、自動販売機の販売実績から各自動販売機への新商品の割り当て数を決定することができるので、商品の販売計画に活用することが可能となり、ＩＣチップの購入実績範囲からＩＣチップ所有者の行動範囲を把握することができるので、自動販売機の設置計画に活用することが可能となる。
【００５１】
また、ＩＣチップごとに購入実績金額に応じて設定することにより、各自動販売機は設定したサービスに基づいて所定の情報を表示をすることができ、ＩＣチップ所有者ごとにサービスを提供することが可能となる。
【００５２】
さらに、複数の端末から所定の条件を入力してデータを作成することにより、複数のデータを同時に作成、表示することができるクライアントサーバシステムを構成することができる。
【００５３】
本発明の前記目的とそれ以外の目的、構成特徴、作用効果は、以下の説明と添付図面によって明らかとなる。
【発明を実施するための最良の形態】
【００５４】
図１乃至図１２は本発明の一実施形態を示すもので、図１は本発明の第１実施形態における自動販売機情報管理システムの概念図、図２は図１に示した自動販売機情報管理システムのブロック図、図３は図１及び図２に示した自動販売機情報管理システムの情報管理の流れを示すフローチャート、図４は図３に示した自動販売機処理のフローチャート、図５は図３に示した自動販売機処理のその他のフローチャート、図６は図３に示したホストコンピュータ処理の処理構成図、図７は図６に示したデータ記憶処理のフローチャート、図８は図１及び図２に示したホストコンピュータのデータベース構成を示す図、図９は図６に示したデータ作成処理の処理構成図、図１０は図９に示した自販機販売データ処理のフローチャート、図１１は図９に示したＩＣチップ購入データ処理のフローチャート、図１２は図９に示したＩＣチップ購入範囲データ処理のフローチャートである。
【００５５】
まず、図１及び図２を参照して第１実施形態における自動販売機情報管理システムの構成について説明する。
【００５６】
自動販売機情報管理システムは、複数の場所に設置された自動販売機１０と、それぞれの自動販売機１０における所定の情報を管理するホストコンピュータ２０とを備えている。
【００５７】
各自動販売機１０の所定の情報の受渡しは、ネットワークＮ１を介してデータを送受信して行われる。従って、オンラインシステムを構成することができる。
【００５８】
なお、情報の受渡しはネットワークＮ１による送受信に限らず、例えば各自動販売機１０及びホストコンピュータ２０がリムーバブルディスクやフラッシュメモリ等の記憶媒体のリーダ／ライタを備え、商品補充時に各自動販売機１０からデータを記憶媒体に記憶して持ち運び、ホストコンピュータ２０が記憶媒体からデータを読み取るようにしてもよい。
【００５９】
自動販売機１０は、読取部１１と制御部１２と送信部１３とを備えている。
【００６０】
読取部１１は購入者の所有するＩＣチップＡ、例えば非接触ＩＣカードや非接触ＩＣチップ搭載型携帯電話のＩＣチップ、からＩＣチップ情報を読取るためのＩＣチップリーダからなる。なお、ＩＣチップリーダは非接触式のものに限らず、接触式のものや非接触式と接触式の両方を備えたものであってもよく、また、ＩＣチップリーダ／ライタであってもよい。
【００６１】
制御部１２は、自動販売機１０の所定の情報のデータを作成するためのものである。ＣＰＵ、ＲＡＭ、ＲＯＭ等を備えた周知のコンピュータからなり、読取部１１、送信部１３が接続されている。
【００６２】
送信部１３は、制御部１２で作成されたデータを送信するためのものである。モデムやルータ等の周知のネットワーク機器からなり、有線・無線を問わず、ネットワークＮ１を介してホストコンピュータ２０と接続している。
【００６３】
ホストコンピュータ２０は、受信部２１と制御部２２と記憶部２３と表示部２４とを備えている。
【００６４】
受信部２１は、各自動販売機１０からのデータを受信するためのものであり、送信部１３同様、周知のネットワーク機器からなり、ネットワークＮ１を介して各自動販売機１０と接続している。
【００６５】
制御部２２は、受信したデータを記憶部２３に記憶し、記憶部２３に記憶したデータに基づいて所定のデータを作成するためのものであり、前記制御部１２同様、周知のコンピュータからなり、受信部２１、記憶部２３、表示部２４が接続されている。
【００６６】
記憶部２３は、制御部２２から送出されたデータを記憶するためのものである。ハードディスク装置や磁気テープ装置等の周知の大容量記憶装置からなり、内蔵・外設を問わない。
【００６７】
表示部２４は制御部２２が作成したデータ、記憶部２３が記憶するデータを表示するためのものである。液晶やＣＲＴ（Ｃａｔｈｏｄｅ  Ｒａｙ  Ｔｕｂｅ）等の周知のディスプレイからなる。なお、キーボードやマウス等の入力装置（図示せず）と共に用いることが望ましい。
【００６８】
なお、ホストコンピュータ２０は１台に限らず、その機能や負荷に応じて適宜複数台で構成してもよい。
【００６９】
次に、図３乃至図１２を参照して、図１及び図２に示した自動販売機情報管理システムを用いた各自動販売機の所定の情報の管理について説明する。
【００７０】
各自動販売機１０の所定の情報の管理は、図３に示すように、各自動販売機１０で処理される自動販売機処理Ｓ１００と、ホストコンピュータ２０で処理されるホストコンピュータ処理Ｓ２００とを備えている。
【００７１】
自動販売機処理Ｓ１００において、商品を販売するときまたは販売する前に、読取部１１は購入者の所有するＩＣチップＡからＩＣチップ情報を読取る（Ｓ１０１）。このＩＣチップ情報には、ＩＣチップＩＤやＩＣチップ番号といったＩＣチップＡごとに一意となるＩＣチップ識別データが含まれており、読み取られたＩＣチップ情報は制御部１２に送出されＲＡＭ等に記憶される。
【００７２】
商品を販売した後、制御部１２は日時、商品種類、数、金額等の販売した商品に関する所定の情報と、読取ったＩＣチップ情報に含まれるＩＣチップ識別データ及び制御部１２のＲＯＭ等に記憶されている自動販売機ＩＤの情報から販売データを作成する（Ｓ１０２）。従って、商品販売ごとに自動販売機及びＩＣチップを識別することができる販売データが作成される。
【００７３】
次に制御部１２は、商品販売に伴う売り切れが有るか判定し（Ｓ１０３）、売り切れが有れば、日時、商品種類等の売り切れ商品の情報から売切データを作成する（Ｓ１０４）。売り切れがなければ、Ｓ１０４の処理は行わない。
【００７４】
更に制御部１２は、硬貨処理機、紙幣識別機、搬出駆動装置、圧縮機、ヒータ、温調設定器等といった自動販売機内の装置に故障が有るかチェックし、（Ｓ１０５）、故障が有れば、日時、故障箇所等の故障装置の情報から故障データを作成する（Ｓ１０６）。故障がなければ、Ｓ１０５の処理は行わない。
【００７５】
最後に制御部１２は、Ｓ１０４及びＳ１０６の処理で作成したデータを警告データとして上記Ｓ１０２の処理で作成した販売データとともに送信部１３へ送出し、送信部１３はネットワークを介してホストコンピュータ２０へ送信する（Ｓ１０７）。なお、警告データの作成、送信は商品販売時に限らず、制御部１２が定期的に又は随時、行うようにしてもよい。
【００７６】
また、自動販売機１０が周知の記憶装置（図示せず）を備える場合には、作成した販売データを記憶しておき、所定間隔ごとに複数の販売データの送信をバッチ処理することができる。
【００７７】
図５に示すように、販売データ作成後（Ｓ１０２）、制御部１２は所定時間に達した否かを時計機能等を利用して判定し（Ｓ１０８）、所定時間に達するまで作成した販売データを記憶装置（図示せず）に記憶する（Ｓ１０９）。所定時間に達したときは、上記Ｓ１０３以降の処理を行う。なお、故障データ作成後（Ｓ１０６）、制御部１２は所定間隔における自動販売機１０の販売額を合計した売上データを作成し（Ｓ１１０）、警告データとして送信するようにしてもよい（Ｓ１０７）。従って、自動販売機ごとに販売金額、故障、売り切れ、の情報を把握することができる。
【００７８】
また、所定間隔ごとにデータを送信するのは所定時間で判定する場合に限らず、記憶したデータ量が所定量に達したか否か、或いは、記憶したデータ件数が所定数に達したか否かで判定するようにしてもよい。
【００７９】
次に、ホストコンピュータ処理Ｓ２００は、図６に示すようにデータ記憶処理Ｓ２０１とデータ作成処理Ｓ２１０とを備えている。データ記憶処理Ｓ２０１は、受信するごと或いは所定間隔ごとに、各自動販売機１０から送信されたデータを処理し、データ作成処理Ｓ２１０は、所定間隔ごと或いは任意に、記憶された複数のデータに基づいて処理し、それぞれ並行して処理可能である。なお、以下の説明において特に明示しない限り、データ記憶処理Ｓ２０１、データ作成処理Ｓ２１０ともにリアルタイム処理として説明する。
【００８０】
図７に示すデータ記憶処理Ｓ２０１において、ネットワークＮ１を介して各自動販売機１０に接続する受信部２１は、自動販売機１０から受信したデータを制御部２２に送出する（Ｓ２０２）。制御部２２は、受信したデータの種類（販売データ、警告データ等）や記憶部２３のファイル或いはＤＢ（データベース）の種類に応じて分類・分割し（Ｓ２０３）、記憶部２３に記憶させる（Ｓ２０４）。
【００８１】
図８に記憶部２３のデータベース構成の一例を示す。販売ＤＢ２３ａは、各自動販売機１０から受信した全ての販売データが記憶されており、自販機ＤＢ２３ｂは、警告データの他に、自動販売機ＩＤや設置場所、コラム数等の自動販売機１０の情報が記憶されている。なお、各ＤＢは関係型、ネットワーク型、階層型等のＤＢ種類は問わず、ＤＢではなく大量のデータを蓄積、整理するための単なるファイルでもよい。また、適宜正規化によるテーブル分割を行ってもよい。
【００８２】
データ作成処理Ｓ２１０は、図９に示すように自販機販売データ処理Ｓ２２０とＩＣチップ購入データ処理Ｓ２３０とＩＣチップ購入範囲データ処理Ｓ２４０とを備えており、それぞれの処理は独立しており並行して処理可能である。なお、図においてＩＣチップ購入範囲データ処理Ｓ２４０がＩＣチップ購入データ処理Ｓ２３０に従属するように表しているが、処理効率上連続して処理することが望ましいだけであり、ＩＣチップ購入範囲データ処理Ｓ２４０の処理開始条件となるものではない。
【００８３】
図１０に示す自販機販売データ処理Ｓ２２０において、制御部２２は各自動販売機１０の自動販売機ＩＤごとに、例えば８月分等の所定期間に該当する全ての販売データを販売ＤＢ２３ａから取得する（Ｓ２２１）。取得した複数の販売データのＩＣチップ識別データの数を計数して自動販売機１０を利用した購入者の所有するＩＣチップ数を算出する（Ｓ２２２）。取得した複数の販売データの商品種類ごとの数を計算して販売商品数を算出する（Ｓ２２３）。取得した複数の販売データの数を計数して販売回数を算出する（Ｓ２２４）。取得した複数の販売データの商品種類の数を計数して販売商品種類を算出する（Ｓ２２５）。取得した複数の販売データの金額を集計して販売金額を算出する（Ｓ２２６）。最後に、自動販売機ＩＤと全ての算出結果を含む自販機販売データを作成して（Ｓ２２７）、自販機ＤＢ２３ａに記憶するとともに表示部２４に送出し（Ｓ２２８）、表示部２４は自販機販売データに基づいて数値やグラフ等を表示する（Ｓ２２９）。従って、自動販売機ごとに所定期間における販売実績の情報として自動販売機１０を利用した購入者の所有するＩＣチップ数、販売商品数、販売回数、販売商品種類、販売金額、を把握することがきる。
【００８４】
なお、Ｓ２２６の処理において、自販機ＤＢ２３ａの売上データを利用して販売金額を算出するようにしてもよい。また、Ｓ２２２〜Ｓ２２６の処理は順不同であり、適宜不要な処理を削除したり他の算出処理を追加してもよい。また、Ｓ２２８、Ｓ２２９の処理は順不同であり、どちらか一方の処理だけを行うようにしてもよい。
【００８５】
図１１に示すＩＣチップ購入データ処理Ｓ２３０において、制御部２２は各ＩＣチップ識別データごとに、所定期間に該当する全ての販売データを販売ＤＢ２３ａから取得する（Ｓ２３１）。取得した複数の販売データの自動販売機ＩＤの数を計数してＩＣチップＡを所有する購入者が利用した自動販売機数を算出する（Ｓ２３２）。取得した複数の販売データの商品種類ごとの数を計算して購入商品数を算出する（Ｓ２３３）。取得した複数の販売データの数を計数して購入回数を算出する（Ｓ２３４）。取得した複数の販売データの商品種類の数を計数して購入商品種類を算出する（Ｓ２３５）。取得した複数の販売データの金額を集計し購入金額を算出する（Ｓ２３６）。最後に、ＩＣチップ識別データと全ての算出結果及び取得した複数の販売データの自動販売機ＩＤを含むＩＣチップ購入データを作成して（Ｓ２３７）、ＩＣチップＤＢ２３ｃに記憶するとともに表示部２４に送出し（Ｓ２３８）、表示部２４はＩＣチップ購入データに基づいて数値やグラフ等を表示する（Ｓ２３９）。従って、ＩＣチップごとに所定期間における購入実績の情報としてＩＣチップＡを所有する購入者が利用した自動販売機数、購入商品数、購入回数、購入商品種類、購入金額、自動販売機識別情報、を把握することがきる。なお、Ｓ２３２〜Ｓ２３６の処理は順不同であり、適宜不要な処理を削除したり他の算出処理を追加してもよい。また、Ｓ２３８、Ｓ２３９の処理は順不同であり、どちらか一方の処理だけを行うようにしてもよい。
【００８６】
図１２に示すＩＣチップ購入範囲データ処理Ｓ２４０において、制御部２２は各ＩＣチップ識別データごとに、所定期間に該当する全ての販売データを販売ＤＢ２３ａから取得し（Ｓ２４１）、取得した複数の販売データの自動販売機ＩＤごとに金額を集計し自販機別金額を算出する（Ｓ２４２）。また自動販売機ＩＤに基づいて、自販機ＤＢ２３ｂから自動販売機１０の設置場所の情報を取得する（Ｓ２４３）。最後に、ＩＣチップ識別情報と自販機別金額と設置場所情報を含むＩＣチップ購入範囲データを作成して（Ｓ２４４）、ＩＣチップＤＢ２３ｃに記憶するとともに表示部２４に送出し（Ｓ２４５）、表示部２４はＩＣチップ購入範囲データに基づいて地図画像等を表示する（Ｓ２４６）。従って、ＩＣチップごとに所定期間における購入範囲実績の情報を得るすることがきる。なお、Ｓ２４２の処理は適宜他の算出処理を追加してもよい。また、Ｓ２４５、Ｓ２４６の処理は順不同であり、どちらか一方の処理だけを行うようにしてもよい。
【００８７】
このように、上記構成及び動作の自動販売機情報管理システムによれば、各自動販売機において商品販売ごとに販売データが作成され、複数の販売データに基づいて自動販売機ごとのデータやＩＣチップごとのデータを作成することにより、自動販売機ごとに販売実績の情報を得ることができるとともにＩＣチップごとに購入実績の情報及び購入範囲実績の情報を得ることができる。よって、自動販売機の販売実績とＩＣチップの購入実績からＩＣチップ所有者の嗜好を考慮して新商品の販売数を予測することができ、自動販売機の販売実績から各自動販売機への新商品の割り当て数を決定することができるので、商品の販売計画に活用することが可能となり、ＩＣチップの購入実績範囲からＩＣチップ所有者の行動範囲を把握することができるので、自動販売機の設置計画に活用することが可能となる。
【００８８】
次に、本発明の第２実施形態を説明する。
【００８９】
図１３は本発明の第２実施形態における自動販売機情報管理システムのブロック図、図１４は図１３に示したホストコンピュータのデータベース構成を示す図、図１５は本発明の第２実施形態におけるデータ作成処理の処理構成図、図１６は図１５に示したＩＣチップサービスデータ処理のフローチャート、図１７は本発明の第２実施形態における自動販売機処理の処理構成図、図１８は図１７に示したデータ表示処理のフローチャートである。前述した第１実施形態と同一構成部分は同一符号をもって表しその説明を省略する。
【００９０】
第２実施形態と第１実施形態との相違点は、第２実施形態では自動販売機１０Ａにおいて表示部１４と送受信部１５と記憶部１６を設け、ホストコンピュータ２０Ａにおいて記憶部２３Ａと送受信部２５を設けて、ホストコンピュータ２０Ａで作成したデータを自動販売機１０Ａに送信して表示するようにしたことである。なお、ホストコンピュータ２０Ａで作成したデータの受渡しが、ネットワークＮ１を介してデータを送受信して行う場合に限らないのは、第１実施形態における各自動販売機の所定の情報の場合と同様である。その際には、図１２における送受信部１５と送受信部２５はそれぞれ送信部１３、受信部２１のままでよい。
【００９１】
記憶部２３Ａのデータベース構造において、第２実施形態では図１４に示すように、サービスＤＢ２３ｄが追加されている。サービスＤＢ２３ｄには、例えば１万円以上５万円未満、５万円以上１０万円未満等の購入金額ごとに、金額に応じたサービス内容の情報が記憶されている。
【００９２】
表示部１４は液晶等の周知のディスプレイであり販売可能な商品の情報含む所定の情報を表示する。送受信部１５及び送受信２５は送受信可能な周知のネットワーク機器である。記憶部１６は周知の記憶装置であり、販売可能な商品の情報を表示する要素となるデータ例えば商品画像、背景画像、商品価格等の複数のデータを記憶している。
【００９３】
次に、図１５乃至図１８を参照して図１３に示した自動販売機情報管理システムを用いた各自動販売機の所定の情報の管理について説明する。前述した第１実施形態と同一処理部分は同一符号をもって表しその説明を省略する。
【００９４】
ホストコンピュータ２０Ａで処理されるデータ作成処理Ｓ２１０Ａにおいて、第２実施形態では図１５に示すようにＩＣチップサービスデータ処理Ｓ２５０が追加されている。なお、図においてＩＣチップサービスデータ処理Ｓ２５０がＩＣチップ購入データ処理Ｓ２３０とＩＣチップ購入範囲データ処理Ｓ２４０に従属するように表しているが処理開始条件となるものではなく、それぞれの処理は独立しており並行して処理可能であるのは、第１実施形態におけるＩＣチップ購入範囲データ処理Ｓ２４０の場合と同様である。
【００９５】
図１６に示すＩＣチップサービスデータ処理Ｓ２５０において、制御部２２はＩＣチップ識別データごとに、所定期間に該当する全ての販売データを販売ＤＢ２３ａから取得し（Ｓ２５１）、取得した複数の販売データの金額を集計し購入金額を算出する（Ｓ２５２）。また算出した購入金額に基づいて、サービスＤＢ２３ｄから購入金額ごとのサービス情報を取得する（Ｓ２５３）。最後に、ＩＣチップ識別データと取得したサービス情報を含むＩＣチップサービスデータを作成して（Ｓ２５４）、ＩＣチップＤＢ２３ｃに記憶するとともに送受信部２５に送出し（Ｓ２５５）、送受信部２５はＩＣチップサービスデータを各自動販売機１０に送信する（Ｓ２５６）。従って、ＩＣチップごとに所定期間における購入実績金額に応じたサービスの情報を設定することがきる。なお、Ｓ２５２の処理は適宜他の算出処理を追加してもよい。
【００９６】
また、各自動販売機１０Ａで処理される自動販売機処理Ｓ１００Ａは、図１７に示すようにデータ作成処理Ｓ１２０とデータ表示処理Ｓ１３０とを備えている。データ作成処理Ｓ１２０は第１実施形態における自動販売機処理Ｓ１００と同様であるため、説明を省略する。
【００９７】
図１８に示すデータ表示処理Ｓ１３０において、商品を販売するときに、より正確には表示部１４に販売可能は商品の情報を表示させる際に、自動販売機１０Ａの読取部１１は購入者の所有するＩＣチップＡからＩＣチップ情報を読取る（Ｓ１３１）。ネットワークＮ１を介してホストコンピュータ２０Ａに接続する送受信部１５は、自動販売機１０からデータを受信し制御部１２に送出する（Ｓ１３２）。制御部１２は、読み取ったＩＣチップ識別データに該当するＩＣチップサービスデータを取得し（Ｓ１３３）、記憶部１６が記憶している商品の情報とともに表示部１４へ送出し、表示部１４はＩＣチップサービスデータに基づいて割引価格や背景画像等を表示する（Ｓ１３４）。
【００９８】
このように、上記構成及び動作の自動販売機情報管理システムによれば、第１実施形態の効果に加えて、ＩＣチップごとに購入実績金額に応じて設定することにより、各自動販売機は設定したサービスに基づいて所定の情報を表示をすることができ、ＩＣチップ所有者ごとにサービスを提供することが可能となる。
【００９９】
次に、本発明の第３実施形態を説明する。
図１９は本発明の第３実施形態における自動販売機情報管理システムのブロック図である。前述した第２実施形態と同一構成部分は同一符号をもって表しその説明を省略する。
【０１００】
第３実施形態と第２実施形態との相違点は、第３実施形態ではホストコンピュータ２０ｂにおける表示部２４の代わりに複数の端末３０を設けて、第２ネットワークＮ２を介して端末３０から入力された所定の条件と記憶部２３Ａが記憶する複数の販売データとに基づいて制御部２２がデータを作成し、作成したデータを端末３０に送信して表示するようにしたことである。なお、端末３０から入力した所定の条件及びホストコンピュータ２０Ｂで作成したデータの受渡しが、ネットワークＮ２を介してデータを送受信して行う場合に限らないのは、第２実施形態の場合と同様である。
【０１０１】
ネットワークＮ２はネットワークＮ１と異なることものであり、例えばＬＡＮ等の小規模ネットワークにファイアウォール機能等を備えることでセキュリティを確保することができるが、ネットワークＮ１と同じであってもよい。
【０１０２】
複数の端末３０はそれぞれ周知のパソコンであり、ディスプレイ等の表示装置を備える。なお、端末３０は１台であってもよい。
【０１０３】
端末３０から入力する所定の条件は例えば上記所定期間や特定の自動販売機ＩＤ、特定のＩＣチップ識別データであり、端末３０を操作する操作員の任意で、所定期間を８月分ではなく７月分にしたり、特定の自動販売機１０の１月〜８月分にして条件を設定することができる。
【０１０４】
また、ホストコンピュータ２０Ｂで処理されるデータ作成処理Ｓ２１０Ａは、それぞれの処理が独立し並行して処理可能であり、複数の端末３０からの所定の条件と記憶部２３Ａが記憶する複数の販売データとに基づいて同時に複数のデータを作成することができる。
【０１０５】
このように、上記構成の自動販売機情報管理システムによれば、第２実施形態の効果に加え、複数の端末３０から所定の条件を入力してデータを作成することにより、複数のデータを同時に作成、表示することができるクライアントサーバシステムを構成することができる。
【０１０６】
なお、本発明の構成及び処理は、上述の実施形態にのみ限定されるものではなく、本発明の要旨を逸脱しない範囲内において種々変更を加えてもよい。
【図面の簡単な説明】
【０１０７】
【図１】本発明の第１実施形態における自動販売機情報管理システムの概念図
【図２】図１に示した自動販売機情報管理システムのブロック図
【図３】図１及び図２に示した自動販売機情報管理システムの情報管理の流れを示すフローチャート
【図４】本発明の第１実施形態における表示構成データを説明する図
【図５】図３に示した自動販売機処理のその他のフローチャート
【図６】図３に示したホストコンピュータ処理の処理構成図
【図７】図６に示したデータ記憶処理のフローチャート
【図８】図１及び図２に示したホストコンピュータのデータベース構成を示す図
【図９】図６に示したデータ作成処理の処理構成図
【図１０】図９に示した自販機販売データ処理のフローチャート
【図１１】図９に示したＩＣチップ購入データ処理のフローチャート
【図１２】図９に示したＩＣチップ購入範囲データ処理のフローチャート
【図１３】本発明の第２実施形態における自動販売機情報管理システムのブロック図
【図１４】図１３に示したホストコンピュータのデータベース構成を示す図
【図１５】本発明の第２実施形態におけるデータ作成処理の処理構成図
【図１６】図１５に示したＩＣチップサービスデータ処理のフローチャート
【図１７】本発明の第２実施形態における自動販売機処理の処理構成図
【図１８】図１７に示したデータ表示処理のフローチャート
【図１９】本発明の第３実施形態における自動販売機情報管理システムのブロック図
【符号の説明】
【０１０８】
１０，１０Ａ…自動販売機、１１…読取部、１２…制御部、１３…送信部、１４…表示部、１５…送受信部、１６…記憶部、２０，２０Ａ，２０Ｂ…ホストコンピュータ、２１…受信部、２２…制御部、２３，２３Ａ…記憶部、２３ａ…販売ＤＢ、２３ｂ…自販機ＤＢ、２３ｃ…ＩＣチップＤＢ、２３ｄ…サービスＤＢ、２４…表示部、２５…送受信部、３０…端末、Ａ…ＩＣチップ、Ｎ１…ネットワーク、Ｎ２…第２ネットワーク、Ｓ１００，Ｓ１００Ａ…自動販売機処理、Ｓｓ１２０…データ作成処理、Ｓ１３０…データ表示処理、Ｓ２００…ホストコンピュータ処理、Ｓ２０１…データ記憶処理、Ｓ２１０，Ｓ２１０Ａ…データ作成処理、Ｓ２２０…自動販売機データ処理、Ｓ２３０…ＩＣチップ購入データ処理、Ｓ２４０…ＩＣチップ購入範囲データ処理。
【図１】
2006139563.tif 000003
【図２】
2006139563.tif 000004
【図３】
2006139563.tif 000005
【図４】
2006139563.tif 000006
【図５】
2006139563.tif 000007
【図６】
2006139563.tif 000008
【図７】
2006139563.tif 000009
【図８】
2006139563.tif 000010
【図９】
2006139563.tif 000011
【図１０】
2006139563.tif 000012
【図１１】
2006139563.tif 000013
【図１２】
2006139563.tif 000014
【図１３】
2006139563.tif 000015
【図１４】
2006139563.tif 000016
【図１５】
2006139563.tif 000017
【図１６】
2006139563.tif 000018
【図１７】
2006139563.tif 000019
【図１８】
2006139563.tif 000020
【図１９】
2006139563.tif 000021